(57)【要約】【課題】立体ギャザーの縁における柔軟性を高めることを可能とした吸収性物品を提供する。【解決手段】複数の立体弾性部材６２のなかで、内側縁からの距離が最も小さい立体弾性部材６２が先端弾性部材６２ａである。先端弾性部材６２ａは、サイドシートの本体部６１ａと折り返し部とに接着剤によって固定された先端固定部分Ｒ１ａ１を含む先端固定領域Ｒ１ａを備える。先端固定部分Ｒ１ａ１は、先端固定領域Ｒ１ａなかで第１方向Ｄ１における２つの端部の各々に位置する。先端固定領域Ｒ１ａは、本体部６１ａおよび折り返し部に固定されない非固定部分Ｒ１ａ２をさらに含む。【選択図】図４
2018093985.tif 000002
【特許請求の範囲】
【請求項１】
着用者の腹部を覆う前身頃と、
前記着用者の背部を覆う後身頃と、
前記前身頃と前記後身頃とに繋がるとともに前記着用者の股下を覆う股下部と、を備え、
前記前身頃、前記股下部、および、前記後身頃が並ぶ方向が延設方向であり、
前記延設方向に沿って延びるとともに、前記前身頃、前記後身頃、および、前記股下部に位置する吸収性本体と、
前記吸収性本体における前記着用者の肌と向かい合う面のなかで、前記吸収性本体のうち、前記延設方向に沿って延びる端部にそれぞれ固定される一対の立体ギャザーとを備え、
前記各立体ギャザーは、前記延設方向に沿って延び、かつ、前記延設方向に沿って前記吸収性本体に固定された外側縁と、前記外側縁とは反対側の内側縁とを含む第１シートと、
前記延設方向に沿って延びるとともに、前記第１シートに向かい合う第２シートであって、前記内側縁を含む前記第２シートと、
前記第１シートと前記第２シートとの間に位置するとともに、前記延設方向に沿って延び、かつ、前記延設方向と直交する方向に並ぶ複数の弾性部材と、を含み、
複数の前記弾性部材のなかで、前記内側縁からの距離が最も小さい前記弾性部材が先端弾性部材であり、
前記先端弾性部材は、前記第１シートおよび前記第２シートに接着剤によって固定された先端固定部分を含む先端固定領域を備え、
前記先端固定部分は、前記先端固定領域のなかで前記延設方向における２つの端部の各々に位置し、
前記先端固定領域は、前記第１シートおよび前記第２シートに固定されない非固定部分をさらに含む
吸収性物品。
【請求項２】
前記先端固定領域は、２つの前記先端固定部分と１つの前記非固定部分とから構成され、
前記非固定部分は、２つの前記先端固定部分に前記延設方向において挟まれ、
前記延設方向において、前記各先端固定部分の長さが、前記非固定部分の長さよりも短い
請求項１に記載の吸収性物品。
【請求項３】
前記延設方向において、前記先端固定部分の長さの合計が、前記非固定部分の長さよりも短い
請求項２に記載の吸収性物品。
【請求項４】
複数の前記弾性部材において、前記先端弾性部材以外の前記弾性部材が基端弾性部材であり、
前記基端弾性部材は、前記第１シートおよび前記第２シートに接着剤によって固定された基端固定部分を含む基端固定領域であって、前記基端固定部分が、前記基端固定領域のなかで、少なくとも前記延設方向における２つの端部の各々に位置する前記基端固定領域を備え、
前記延設方向において、前記基端固定部分の長さの合計が、前記先端固定部分の長さの合計よりも長い
請求項１から３のいずれか一項に記載の吸収性物品。
【請求項５】
前記基端固定領域の全体が、前記基端固定部分である
請求項４に記載の吸収性物品。
【請求項６】
前記第１シートは、１枚のシートの一部を構成する第１シート要素であり、
前記第２シートは、前記シートのうち、前記第１シート要素とは異なる部分を構成する第２シート要素であり、
前記第１シート要素と前記第２シート要素との境界が、前記立体ギャザーの前記内側縁である
請求項１から５のいずれか一項に記載の吸収性物品。
【発明の詳細な説明】
【技術分野】
【０００１】
本発明は、使い捨ておむつなどの吸収性物品に関する。
【背景技術】
【０００２】
吸収性物品の一例である使い捨ておむつには、パンツ型おむつとテープ型おむつとが知られている。パンツ型おむつおよびテープ型おむつの各々は、着用者が排泄した液体を吸収する吸収性本体と、吸収性本体の延びる方向に沿い、かつ、吸収性本体の左右の端部に１つずつ位置する立体ギャザーとを備えている。パンツ型おむつおよびテープ型おむつの両方において、着用者がおむつを着用したときには、立体ギャザーの縁が着用者の肌に直に接する（例えば、特許文献１参照）。
【先行技術文献】
【特許文献】
【０００３】
【特許文献１】特開２０１２−１４３４６９号公報
【発明の概要】
【発明が解決しようとする課題】
【０００４】
ところで、立体ギャザーは着用者の肌に直に接するため、立体ギャザーの肌触りをよくする上で、立体ギャザーの縁における柔軟性を高めることが求められている。なお、こうした事項は、使い捨ておむつに限らず、他の吸収性物品においても同様に求められている。
【０００５】
本発明は、立体ギャザーの縁における柔軟性を高めることを目的とする。
【課題を解決するための手段】
【０００６】
上記課題を解決するための吸収性物品は、着用者の腹部を覆う前身頃と、前記着用者の背部を覆う後身頃と、前記前身頃と前記後身頃とに繋がるとともに前記着用者の股下を覆う股下部とを備える。前記前身頃、前記股下部、および、前記後身頃が並ぶ方向が延設方向である。延設方向に沿って延びるとともに、前記前身頃、前記後身頃、および、前記股下部に位置する吸収性本体と、前記吸収性本体における前記着用者の肌と向かい合う面のなかで、前記吸収性本体のうち、前記延設方向に沿って延びる端部にそれぞれ固定される一対の立体ギャザーとを備える。前記各立体ギャザーは、前記延設方向に沿って延び、かつ、前記延設方向に沿って前記吸収性本体に固定された外側縁と、前記外側縁とは反対側の内側縁とを含む第１シートと、前記延設方向に沿って延びるとともに、前記第１シートに向かい合う第２シートであって、前記内側縁を含む前記第２シートと、前記第１シートと前記第２シートとの間に位置するとともに、前記延設方向に沿って延び、かつ、前記延設方向と直交する方向に並ぶ複数の弾性部材と、を含む。複数の前記弾性部材のなかで、前記内側縁からの距離が最も小さい前記弾性部材が先端弾性部材である。前記先端弾性部材は、前記第１シートおよび前記第２シートに接着剤によって固定された先端固定部分を含む先端固定領域を備える。前記先端固定部分は、前記先端固定領域のなかで前記延設方向における２つの端部の各々に位置する。前記先端固定領域は、前記第１シートおよび前記第２シートに固定されない非固定部分をさらに含む。
【０００７】
上記構成によれば、先端弾性部材の固定領域における全体が第１シートに固定された構成と比べて、第１シートにおける内側縁からの距離が小さい位置において、接着剤が塗布される領域を小さくすることができるため、内側縁における柔軟性を高めることができる。
【０００８】
上記吸収性物品において、前記先端固定領域は、２つの前記先端固定部分と１つの前記非固定部分とから構成され、前記非固定部分は、前記先端固定部分に前記延設方向において挟まれ、前記延設方向において、前記各先端固定部分の長さが、前記非固定部分の長さよりも短いことが好ましい。
【０００９】
上記構成によれば、延設方向に沿う先端固定部分の長さが延設方向に沿う非固定部分の長さよりも長い構成と比べて、第１シートのうち、接着剤が塗布される領域を延設方向において小さくすることができるため、内側縁における柔軟性をより高めることができる。
【００１０】
上記吸収性物品では、前記延設方向において、前記先端固定部分の長さの合計が、前記非固定部分の長さよりも短いことが好ましい。
【００１１】
上記構成によれば、第１シートのうち、接着剤が塗布される領域を延設方向においてさらに小さくすることができるため、内側縁における柔軟性をより高めることができる。
上記吸収性物品では、複数の前記弾性部材において、前記先端弾性部材以外の前記弾性部材が基端弾性部材である。前記基端弾性部材は、前記第１シートおよび前記第２シートに接着剤によって固定された基端固定部分を含む基端固定領域であって、前記基端固定部分が、前記基端固定領域のなかで、少なくとも前記延設方向における２つの端部の各々に位置する前記基端固定領域を備える。前記延設方向において、前記基端固定部分の長さの合計が、前記先端固定部分の長さの合計よりも長いことが好ましい。
【００１２】
上記構成によれば、先端固定領域が非固定部分を含むことによって内側縁における柔軟性を高めつつも、先端固定部分よりも長い基端固定部分によって立体ギャザーにおける肌に対する密着性が低下することを抑えることができる。
【００１３】
上記吸収性物品において、前記基端固定領域の全体が、前記基端固定部分であることが好ましい。
【００１４】
上記構成によれば、基端固定領域が非固定部分を含む構成と比べて、立体ギャザーにおける密着性の低下をより抑えることができる。
【００１５】
上記吸収性物品において、前記第１シートは、１枚のシートの一部を構成する第１シート要素であり、前記第２シートは、前記シートのうち、前記第１シート要素とは異なる部分を構成する第２シート要素であり、前記第１シートと前記第２シートとの境界が前記立体ギャザーの前記内側縁であってもよい。
【００１６】
上記構成によれば、複数の弾性部材が１枚のシートによって挟まれる分だけ、立体ギャザーの部品点数を減らすことができる。
【発明の効果】
【００１７】
本発明によれば、立体ギャザーの縁における柔軟性を高めることができる。
【図面の簡単な説明】
【００１８】
【図１】吸収性物品をパンツ型のおむつとして具体化した第１実施形態におけるパンツ型のおむつにおける斜視構造を示す斜視図。
【図２】第１実施形態のパンツ型のおむつが展開された状態における平面構造を示す平面図。
【図３】図２におけるＩ−Ｉ線に沿う断面構造を示す断面図。
【図４】図３における領域Ａの平面構造を拡大して示す拡大平面図。
【図５】図２におけるＩＩ−ＩＩ線に沿う断面構造を示す断面図。
【図６】吸収性物品をパンツ型のおむつとして具体化した第２実施形態においておむつが展開された状態における平面構造を示す平面図。
【図７】図６におけるＩＩＩ−ＩＩＩ線に沿う断面構造を示す断面図。
【図８】図６におけるＩＶ−ＩＶ線に沿う断面構造を示す断面図。
【発明を実施するための形態】
【００１９】
［第１実施形態］
図１から図５を参照して、吸収性物品を使い捨ておむつの一例であるパンツ型のおむつとして具体化した第１実施形態を説明する。以下では、おむつの全体構成、立体ギャザーの構成、ウエストギャザーの構成、および、レッグギャザーの構成を順番に説明する。
【００２０】
［おむつの全体構成］
図１および図２を参照しておむつの全体構成を説明する。なお、図１は着用時におけるおむつの斜視構造を示す一方で、図２は、展開時におけるおむつの平面構造であって、おむつにおける着用者の肌に触れる面と対向する平面視での平面構造を示している。
【００２１】
図１が示すように、パンツ型のおむつ１０は、着用者の腹部を覆う前身頃１１と、着用者の背部を覆う後身頃１２と、前身頃１１と後身頃１２とに繋がるとともに、着用者の股下を覆う股下部１３とを備えている。
【００２２】
おむつ１０は、着用者の胴体が通る開口であるウエスト開口１０ａを有し、ウエスト開口１０ａを区画する開口端部であるウエスト端部１０ａ１を備えている。前身頃１１に含まれる前端部１１ａと後身頃１２に含まれる後端部１２ａとが、ウエスト端部１０ａ１を構成している。
【００２３】
おむつ１０において、前端部１１ａおよび後端部１２ａの両方が、ウエストギャザーが位置するギャザー端部であり、ウエストギャザーの縁が、ギャザー端部の縁を構成している。すなわち、おむつ１０は、２つのウエストギャザーである第１ウエストギャザー２１Ａと、第２ウエストギャザー２１Ｂとを備え、第１ウエストギャザー２１Ａが前端部１１ａに位置し、第２ウエストギャザー２１Ｂが後端部１２ａに位置している。第１ウエストギャザー２１Ａの縁は、前端部１１ａの縁１１ａ１を構成し、第２ウエストギャザー２１Ｂの縁は、後端部１２ａの縁１２ａ１を構成している。
【００２４】
おむつ１０は、着用者の脚が通る開口である２つのレッグ開口を有し、２つのレッグ開口は、第１レッグ開口１０ｂ１と第２レッグ開口１０ｂ２とから構成されている。着用者がおむつ１０を着用するとき、各レッグ開口には、他のレッグ開口を通る脚とは異なる脚が通される。
【００２５】
股下部１３は、レッグ開口を区画している。股下部１３のうち、前身頃１１から後身頃１２に向かう方向に延びる端部が、複数のひだを含むレッグギャザーの位置する開口端部である。股下部１３は、第１レッグ開口１０ｂ１を区画する開口端部である第１レッグ端部１３ａと、第２レッグ開口１０ｂ２を区画する開口端部である第２レッグ端部１３ｂとを備えている。第１レッグ端部１３ａには第１レッグギャザー２２Ａが位置し、第２レッグ端部１３ｂには第２レッグギャザー２２Ｂが位置している。
【００２６】
各レッグギャザーの縁は、各レッグ端部の縁を構成している。すなわち、第１レッグギャザー２２Ａの縁は、第１レッグ端部１３ａの縁１３ａ１を構成し、第２レッグギャザー２２Ｂの縁は、第２レッグ端部１３ｂの縁１３ｂ１を構成している。
【００２７】
図２が示すように、おむつ１０において、股下部１３は前身頃１１と後身頃１２とに繋がり、前身頃１１、股下部１３、および、後身頃１２がこの順に並んでいる。
【００２８】
第１ウエストギャザー２１Ａが位置する身頃である前身頃１１から股下部１３に向かう方向が第１方向Ｄ１であり、第２ウエストギャザー２１Ｂが位置する身頃である後身頃１２から股下部１３に向かう方向も第１方向Ｄ１である。すなわち、第１方向Ｄ１は、前身頃１１、股下部１３、および、後身頃１２が並ぶ方向であって、かつ、前身頃１１から後身頃１２に向かう方向と、後身頃１２から前身頃１１に向かう方向との両方を含む。第１方向Ｄ１は、前身頃１１、股下部１３、および、後身頃１２が並ぶ方向でもあり、延設方向の一例である。第１方向Ｄ１と直交する方向が第２方向Ｄ２である。
【００２９】
おむつ１０は、第１方向Ｄ１に沿って延びる外装体３１と、第１方向Ｄ１に沿って延びる吸収性本体３２とを備え、外装体３１における第２方向Ｄ２に沿う長さは、吸収性本体３２における第２方向Ｄ２に沿う長さよりも長い。外装体３１と吸収性本体３２とは、外装体３１における中央と、吸収性本体３２における中央とがほぼ一致するように互いに固定されている。
【００３０】
外装体３１および吸収性本体３２の各々は、前身頃１１、後身頃１２、および、股下部１３に位置している。外装体３１において、前身頃１１に含まれる第１部分３１Ｐ１、股下部１３に含まれる第２部分３１Ｐ２、および、後身頃１２に含まれる第３部分３１Ｐ３が、第１方向Ｄ１に沿ってこの順に並んでいる。吸収性本体３２において、前身頃１１に含まれる部分、股下部１３に含まれる部分、および、後身頃１２に含まれる部分が、第１方向Ｄ１に沿ってこの順に並んでいる。
【００３１】
外装体３１は、第１方向Ｄ１において２つの端部を有し、２つの端部は第１端部３１ａおよび第２端部３１ｂである。第１端部３１ａが前身頃１１に含まれる前端部１１ａを構成し、第２端部３１ｂが後身頃１２に含まれる後端部１２ａを構成している。
【００３２】
第１部分３１Ｐ１は、第２方向Ｄ２における端部として第１接合端部Ｐ１ａと第２接合端部Ｐ１ｂとを有し、第３部分３１Ｐ３は、第２方向Ｄ２における端部として第１接合端部Ｐ３ａと第２接合端部Ｐ３ｂとを有している。
【００３３】
第２部分３１Ｐ２は、第２方向Ｄ２に沿う幅が第１部分３１Ｐ１から第３部分３１Ｐ３に向かう方向に沿って小さくなる部分と、第２方向Ｄ２に沿う幅が第３部分３１Ｐ３から第１部分３１Ｐ１に向かう方向に沿って小さくなる部分とを含む。これにより、第２部分３１Ｐ２では、第１方向Ｄ１の中央を含む部分において、第２方向Ｄ２に沿う幅が最も小さくなる。
【００３４】
おむつ１０では、展開された状態の外装体３１のうち、第１部分３１Ｐ１における第１接合端部Ｐ１ａと、第３部分３１Ｐ３における第１接合端部Ｐ３ａとが接合される。さらに、第１部分３１Ｐ１における第２接合端部Ｐ１ｂと、第３部分３１Ｐ３における第２接合端部Ｐ３ｂとが接合される。これにより、おむつ１０には、第１部分３１Ｐ１と第３部分３１Ｐ３とによってウエスト開口１０ａが区画され、第２部分３１Ｐ２によって第１レッグ開口１０ｂ１と第２レッグ開口１０ｂ２とが区画される。
【００３５】
おむつ１０は、一対の立体ギャザーを備え、一対の立体ギャザーは、第１立体ギャザー２３Ａと第２立体ギャザー２３Ｂとから構成されている。各立体ギャザーは、吸収性本体３２における着用者の肌と向かい合う面のなかで、吸収性本体３２のうち、第１方向Ｄ１に沿って延びる端部にそれぞれ固定されている。
【００３６】
［立体ギャザーの構成］
図３および図４を参照して、立体ギャザーの構成をより詳しく説明する。図３は、図２におけるＩ−Ｉ線に沿う断面構造を示している。図４は、図３における領域Ａの平面構造を拡大して示している。
【００３７】
なお、第１立体ギャザー２３Ａと第２立体ギャザー２３Ｂとは、おむつ１０における位置が互いに異なる一方で、各立体ギャザーを構成する部材は互いに共通している。そのため、以下では、第１立体ギャザー２３Ａについて詳しく説明する一方で、第２立体ギャザー２３Ｂの詳しい説明を省略する。
【００３８】
図３が示すように、吸収性本体３２は、上述したように第１方向Ｄ１に沿って延び、トップシート４１、バックシート４２、および、吸収体４３を備えている。トップシート４１は、液体、例えばおむつ１０の着用者が排泄した液体を透過し、バックシート４２は、トップシート４１よりも液体を透過しない。吸収体４３は、トップシート４１とバックシート４２との間に位置するとともに、トップシート４１を透過した液体を吸収する。
【００３９】
外装体３１は、アウターシート５１とインナーシート５２とを備え、インナーシート５２の全体がアウターシート５１に積み重なっている。インナーシート５２のうち、アウターシート５１に接する面とは反対側の面が、着用者の肌に触れる面であり、かつ、吸収性本体３２が固定される面である。
【００４０】
おむつ１０は、上述したように、吸収性本体３２のうち、第１方向Ｄ１に沿って延びる端部にそれぞれ固定される一対の立体ギャザー、すなわち、第１立体ギャザー２３Ａおよび第２立体ギャザー２３Ｂを備えている。
【００４１】
このうち、第１立体ギャザー２３Ａは、サイドシート６１と、複数の立体弾性部材６２とを備えている。サイドシート６１は、本体部６１ａ、折り返し部６１ｂ、および、折り返し縁６１ｃを有している。本体部６１ａは、第１方向Ｄ１に沿って延び、かつ、サイドシート６１における大部分を占めている。折り返し部６１ｂは、第１方向Ｄ１に沿って延びるとともに、本体部６１ａに向かい合っている。
【００４２】
おむつ１０が展開された状態において、折り返し部６１ｂは、本体部６１ａの第２方向Ｄ２における一方の端部において、第１方向Ｄ１に沿って延びる折り目に沿って、本体部６１ａに対して折り返された部分である。折り返し縁６１ｃは、第１方向Ｄ１に沿って延びる折り目であって、本体部６１ａと折り返し部６１ｂとは、折り返し縁６１ｃにおいて互いに繋がっている。すなわち、本体部６１ａは、１枚のシートの一例であるサイドシート６１を構成する第１シート要素の一例であり、折り返し部６１ｂは、サイドシート６１のうち、本体部６１ａとは異なる部分を構成する第２シート要素の一例である。本体部６１ａと折り返し部６１ｂとの境界である折り返し縁６１ｃが、第１立体ギャザー２３Ａにおける縁である。
【００４３】
おむつ１０が展開された状態において、折り返し部６１ｂは、本体部６１ａに対して吸収性本体３２が位置する側に折り返し縁６１ｃにおいて折り返されているが、折り返し部６１ｂは、本体部６１ａに対して吸収性本体３２が位置する側とは反対側に折り返し縁６１ｃにおいて折り返されてもよい。
【００４４】
本体部６１ａは、第１方向Ｄ１に沿って吸収性本体３２に固定された外側縁６１ａ１と、外側縁６１ａ１とは反対側の内側縁とを含み、本体部６１ａおよび折り返し部６１ｂは内側縁を含んでいる。サイドシート６１のなかで、折り返し縁６１ｃが、本体部６１ａおよび折り返し部６１ｂに含まれる内側縁を構成している。おむつ１０が展開された状態において、外側縁６１ａ１は、第２方向Ｄ２において内側縁よりも外側に位置し、内側縁は、第２方向Ｄ２において外側縁６１ａ１よりも吸収性本体３２の中央寄りに位置している。
【００４５】
サイドシート６１の外側縁６１ａ１は、吸収性本体３２のバックシート４２と、外装体３１のインナーシート５２との間に位置し、バックシート４２とインナーシート５２とに固定されている。なお、サイドシート６１の外側縁６１ａ１は、第１方向Ｄ１に沿って延びる吸収性本体３２の端部に固定されていればよく、外装体３１には固定されなくてもよい。
【００４６】
複数の立体弾性部材６２は、本体部６１ａと折り返し部６１ｂとの間に位置している。複数の立体弾性部材６２は、第１方向Ｄ１に沿って延び、かつ、本体部６１ａが広がる平面において、第１方向Ｄ１と直交する方向に沿って並ぶ線状を有している。
【００４７】
複数の立体弾性部材６２は、おむつ１０を展開した状態であって、複数の立体弾性部材６２が引き延ばされた状態において、第１方向Ｄ１と直交する方向である第２方向Ｄ２において間隔を空けて並んでいる。このとき、立体弾性部材６２を挟むサイドシート６１は、吸収性本体３２のトップシート４１に沿っている。
【００４８】
これに対して、複数の立体弾性部材６２は、複数の立体弾性部材６２が縮んでいる状態、言い換えればサイドシート６１が外装体３１と交差する平面に沿って立ち上がった状態で、外装体３１と交差する平面において、外装体３１と交差する方向に沿って間隔を空けて並んでいる。すなわち、複数の立体弾性部材６２は、サイドシート６１が位置する平面において、各立体弾性部材６２が延びる方向とは直交する方向に沿って間隔を空けて並んでいる。
【００４９】
図４を参照して各立体ギャザーが備える立体弾性部材６２について詳しく説明する。なお、図４は、おむつ１０が展開され、かつ、立体弾性部材６２が引き延ばされた状態を模式的に示している。また、図４では、立体弾性部材６２のうち、サイドシート６１に固定されている部分と、サイドシート６１に固定されていない部分とを区別しやすくする目的で、サイドシート６１に固定されている部分にドットが付されている。
【００５０】
各立体弾性部材６２は、本体部６１ａに接着剤によって固定された固定部分を含む固定領域Ｒ１を備えている。各立体弾性部材６２は固定領域Ｒ１に加えて自由領域Ｒ２を有し、１つの立体弾性部材６２は、固定領域Ｒ１と２つの自由領域Ｒ２とから構成されている。各立体弾性部材６２において、固定領域Ｒ１が、第１方向Ｄ１において２つの自由領域Ｒ２に挟まれている。自由領域Ｒ２は、本体部６１ａおよび折り返し部６１ｂに固定されていない部分である。各自由領域Ｒ２における第１方向Ｄ１に沿う長さは、固定領域Ｒ１における第１方向Ｄ１に沿う長さよりも短い。なお、各立体弾性部材６２は、自由領域Ｒ２を有していなくてもよい。
【００５１】
複数の立体弾性部材６２のなかで、第１立体ギャザー２３Ａの内側縁、言い換えればサイドシート６１の折り返し縁６１ｃからの距離が最も小さい立体弾性部材６２が先端弾性部材６２ａであり、先端弾性部材６２ａ以外の立体弾性部材６２が基端弾性部材６２ｂである。
【００５２】
先端弾性部材６２ａの固定領域Ｒ１は先端固定領域Ｒ１ａであり、本体部６１ａおよび折り返し部６１ｂに接着剤によって固定された先端固定部分Ｒ１ａ１を含んでいる。先端固定部分Ｒ１ａ１は、先端固定領域Ｒ１ａのなかで第１方向Ｄ１における２つの端部に位置している。先端固定領域Ｒ１ａは、本体部６１ａおよび折り返し部６１ｂに固定されない非固定部分Ｒ１ａ２をさらに含んでいる。
【００５３】
先端固定領域Ｒ１ａにおける全体が本体部６１ａに固定された構成では、先端固定領域Ｒ１ａの全体、および、本体部６１ａのうち、先端固定領域Ｒ１ａの全体に接する部分に接着剤が塗布される。これにより、本体部６１ａのうち、接着剤が塗布された部分において、接着剤の硬化に伴って、接着剤が塗布されていない状態よりも柔軟性が低くなる。
【００５４】
この点、先端固定領域Ｒ１ａにおける全体が本体部６１ａに固定された構成と比べて、第１立体ギャザー２３Ａの内側縁からの距離が小さい位置において、接着剤が塗布される領域を小さくすることができる。そのため、第１立体ギャザー２３Ａの内側縁における柔軟性を高めることができる。
【００５５】
先端固定領域Ｒ１ａは、２つの先端固定部分Ｒ１ａ１と１つの非固定部分Ｒ１ａ２とから構成され、非固定部分Ｒ１ａ２は、２つの先端固定部分Ｒ１ａ１に第１方向Ｄ１において挟まれている。第１方向Ｄ１において、各先端固定部分Ｒ１ａ１の長さが、非固定部分Ｒ１ａ２の長さよりも短い。
【００５６】
先端弾性部材６２ａにおいて、第１方向Ｄ１に沿う先端固定部分Ｒ１ａ１の長さが第１方向Ｄ１に沿う非固定部分Ｒ１ａ２の長さよりも長い構成と比べて、接着剤が塗布される領域を第１方向Ｄ１において小さくすることができる。そのため、第１立体ギャザー２３Ａの内側縁における柔軟性をより高めることができる。
【００５７】
さらに、第１方向Ｄ１において、先端固定部分Ｒ１ａ１の長さの合計が、非固定部分Ｒ１ａ２の長さよりも短い。これにより、接着剤が塗布される領域を第１方向Ｄ１においてさらに小さくすることができるため、第１立体ギャザー２３Ａの内側縁における柔軟性をより高めることができる。
【００５８】
基端弾性部材６２ｂは基端固定領域Ｒ１ｂを備え、基端固定領域Ｒ１ｂは、本体部６１ａおよび折り返し部６１ｂに接着剤によって固定された基端固定部分Ｒ１ｂ１を含んでいる。基端固定部分Ｒ１ｂ１は、少なくとも第１方向Ｄ１における２つの端部の各々に位置していればよく、第１方向Ｄ１において、基端固定部分Ｒ１ｂ１の長さの合計は、先端固定部分Ｒ１ａ１の長さの合計よりも長い。
【００５９】
そのため、先端固定領域Ｒ１ａが非固定部分Ｒ１ａ２を含むことによって内側縁における柔軟性を高めつつも、先端固定部分Ｒ１ａ１よりも長い基端固定部分Ｒ１ｂ１によって第１立体ギャザー２３Ａにおける肌に対する密着性が低下することが抑えられる。
【００６０】
しかも、基端固定領域Ｒ１ｂの全体が、基端固定部分Ｒ１ｂ１である。そのため、基端固定領域Ｒ１ｂが非固定部分を含む構成と比べて、第１立体ギャザー２３Ａにおける密着性の低下をより抑えることができる。
【００６１】
先端弾性部材６２ａの先端固定部分Ｒ１ａ１は、第１立体ギャザー２３Ａの内側縁に位置している。そのため、第１立体ギャザー２３Ａの内側縁から固定部分が離れている構成と比べて、第１立体ギャザー２３Ａの内側縁に少なからず先端弾性部材６２ａを位置させることができ、これにより、着用者の肌に先端弾性部材６２ａが接しやすくなるため、第１立体ギャザー２３Ａの密着性を高めることができる。ひいては、第１立体ギャザー２３Ａよりも内側から第１立体ギャザー２３Ａよりも外側に、着用者の排泄した液体が漏れることが抑えられる。
【００６２】
なお、先端弾性部材６２ａの非固定部分Ｒ１ａ２では、非固定部分Ｒ１ａ２における形状の自由度が高まるため、先端固定部分Ｒ１ａ１に比べてひだが大きくなりやすい。第１立体ギャザー２３Ａの内側縁と第１立体ギャザー２３Ａの内側縁に最も近い基端弾性部材６２ｂとの間の距離ｄ（以下、「距離ｄ」という。）は、ひだの大きさを決める一因となり、距離ｄが大きいほど、ひだも大きくなる。第１立体ギャザー２３Ａが有するひだが大きくなるほど、第１立体ギャザー２３Ａと着用者の肌との間の隙間が大きくなるため、着用者の排泄した液体が漏れやすくなる。
【００６３】
この点、先端弾性部材６２ａの先端固定部分Ｒ１ａ１が第１立体ギャザー２３Ａの内側縁に位置することにより、先端固定部分Ｒ１ａ１が第１立体ギャザー２３Ａの内側縁から離れた構成と比べて、基端弾性部材６２ｂの全体が第１立体ギャザー２３Ａの内側縁寄りに位置することができる。これにより、距離ｄが小さくなるため、着用者の排泄した液体が漏れにくくなる。
【００６４】
上述したように、複数の立体弾性部材６２を挟む本体部６１ａと折り返し部６１ｂとは、それぞれ１枚のシートを構成する要素であり、本体部６１ａと折り返し部６１ｂとの境界である折り返し縁６１ｃが第１立体ギャザー２３Ａの内側縁である。
【００６５】
おむつ１０の製造において、本体部６１ａと折り返し部６１ｂを含むシートを先端弾性部材６２ａに沿って折り曲げることができるため、先端弾性部材６２ａが第１立体ギャザー２３Ａの内側縁から離れている構成と比べて、シートの折り曲げが容易である。
【００６６】
距離ｄは、９ｍｍ以下であることが好ましい。距離ｄが９ｍｍよりも大きいと、第１立体ギャザー２３Ａが有するひだが大きくなり、第１立体ギャザー２３Ａと着用者の肌との間に大きな隙間が形成される。
【００６７】
この点、距離ｄが９ｍｍ以下であれば、距離ｄが９ｍｍよりも大きい構成と比べて、第１立体ギャザー２３Ａが有するひだが小さくなり、第１立体ギャザー２３Ａと着用者の肌とが触れる面積が小さくなることを抑えることができる。これによって、第１立体ギャザー２３Ａが着用者の肌に密着しにくくなること、および、沿いにくくなることが抑えられる。
【００６８】
［レッグギャザーの構成］
先に参照した図３を再び参照して、レッグギャザーの構成をより詳しく説明する。第１レッグギャザー２２Ａと第２レッグギャザー２２Ｂとは、おむつ１０における位置が互いに異なる一方で、各レッグギャザーを構成する部材は互いに共通している。そのため、以下では、第１レッグギャザー２２Ａについて詳しく説明する一方で、第２レッグギャザー２２Ｂの詳しい説明を省略する。
【００６９】
図３が示すように、第１レッグギャザー２２Ａは、アウターシート５１、インナーシート５２、および、複数のレッグ弾性部材７１を備えている。複数のレッグ弾性部材７１は、外装体３１が備える複数の弾性部材の一部である。
【００７０】
アウターシート５１は第１レッグギャザー２２Ａの縁を含み、インナーシート５２はアウターシート５１に向かい合うとともに、第１レッグギャザー２２Ａの縁を含んでいる。複数のレッグ弾性部材７１は、アウターシート５１とインナーシート５２との間に位置している。
【００７１】
各レッグ弾性部材７１は、おむつ１０を展開した状態において、第１レッグ端部１３ａの縁に沿って延びる線状を有し、複数のレッグ弾性部材７１は、レッグ弾性部材７１の延びる方向と直交する方向に並んでいる。すなわち、各レッグ弾性部材７１は、外装体３１の第２部分３１Ｐ２のうち、第２方向Ｄ２における縁に沿って延び、かつ、複数のレッグ弾性部材７１は、レッグ弾性部材７１が延びる方向と直交する方向において、隙間を空けて並んでいる。
【００７２】
なお、各レッグギャザーにおいて、アウターシート５１における各レッグ弾性部材７１の位置は、サイドシート６１の本体部６１ａにおける各立体弾性部材６２の位置と同様であることが好ましい。また、各レッグ弾性部材７１が、アウターシート５１およびインナーシート５２に対して固定される状態は、各立体弾性部材６２が、サイドシート６１の本体部６１ａおよび折り返し部６１ｂに対して固定される状態と同様であることが好ましい。これにより、各レッグギャザーによっても、各ウエストギャザーと同等の効果を得ることができる。
【００７３】
［ウエストギャザーの構成］
図５を参照して、ウエストギャザーの構成をより詳しく説明する。図５は、図２におけるＩＩ−ＩＩ線に沿う断面構造を示している。
図５が示すように、第１ウエストギャザー２１Ａは、アウターシート５１、インナーシート５２、および、複数のウエスト弾性部材８１から構成されている。アウターシート５１は、第１ウエストギャザー２１Ａの縁を含んでいる。第１ウエストギャザー２１Ａは、おむつ１０の着用時において、第２方向Ｄ２に沿って並ぶ複数のひだを有している。
【００７４】
アウターシート５１は、本体部５１ａ、折り返し部５１ｂ、および、折り返し縁５１ｃを有している。本体部５１ａは、第１方向Ｄ１に沿って延び、かつ、アウターシート５１における大部分を占めている。折り返し部５１ｂは、本体部５１ａの第１方向Ｄ１における各端部において、第２方向Ｄ２に沿って延びる折り目に沿って、本体部５１ａに対して折り返された部分である。折り返し縁５１ｃは、第２方向Ｄ２に沿って延びる折り目であって、本体部５１ａと折り返し部５１ｂとは、折り返し縁５１ｃにおいて互いに繋がっている。すなわち、本体部５１ａおよび折り返し部５１ｂの各々は、１枚のシートであるアウターシート５１に属する要素である。折り返し縁５１ｃは、第１ウエストギャザー２１Ａにおける縁を構成している。
【００７５】
このように、アウターシート５１の折り返し部５１ｂとインナーシート５２とが、アウターシート５１の本体部５１ａに向かい合うとともに、折り返し部５１ｂが、第１ウエストギャザー２１Ａの縁を含んでいる。
【００７６】
インナーシート５２の第１方向Ｄ１における端部は、アウターシート５１の折り返し部５１ｂのうち、折り返し縁５１ｃよりも中央寄りの部分に固定されている。
【００７７】
複数のウエスト弾性部材８１のうちの一部は、アウターシート５１における本体部５１ａと折り返し部５１ｂとの間に位置し、複数のウエスト弾性部材８１のうちの他の一部は、アウターシート５１の本体部５１ａとインナーシート５２との間に位置している。複数のウエスト弾性部材８１は、第２方向Ｄ２に沿って延び、かつ、第１方向Ｄ１に並ぶ線状を有している。
【００７８】
第２ウエストギャザー２１Ｂは、第１ウエストギャザー２１Ａと同様、アウターシート５１、インナーシート５２、および、複数のウエスト弾性部材８１から構成されている。なお、第１ウエストギャザー２１Ａと第２ウエストギャザー２１Ｂとは、第１方向Ｄ１における位置が互いに異なる一方で、各ウエストギャザーを構成する部材は共通している。
【００７９】
おむつ１０において、外装体３１は、アウターシート５１、インナーシート５２、および、複数の弾性部材から構成されている。複数の弾性部材には、レッグ弾性部材７１、および、ウエスト弾性部材８１が含まれる。アウターシート５１およびインナーシート５２は、第１方向Ｄ１および第２方向Ｄ２に沿って二次元的に広がるシート状を有している。上述したように、インナーシート５２における第１方向Ｄ１の端部は、アウターシート５１の折り返し部５１ｂに固定され、インナーシート５２の端部を含む部分が、折り返し部５１ｂによって覆われている。
【００８０】
吸収性本体３２は、インナーシート５２のうち、アウターシート５１と対向する面とは反対側の面に固定され、吸収性本体３２の第１方向Ｄ１における端部は、それぞれアウターシート５１の折り返し部５１ｂに覆われている。
【００８１】
外装体３１が備える複数の弾性部材は、複数のタミー弾性部材８２をさらに含み、複数のタミー弾性部材８２は、第１方向Ｄ１において、ウエスト弾性部材８１よりも外装体３１の中央寄りに位置している。
【００８２】
複数のタミー弾性部材８２は、吸収体４３よりも第１接合端部Ｐ１ａ，Ｐ３ａ寄りに位置する複数のタミー弾性部材８２と、吸収体４３よりも第２接合端部Ｐ１ｂ，Ｐ３ｂ寄りに位置する複数のタミー弾性部材８２とから構成されている。吸収体４３よりも第１接合端部Ｐ１ａ，Ｐ３ａ寄りに位置する複数のタミー弾性部材８２、および、吸収体４３よりも第２接合端部Ｐ１ｂ，Ｐ３ｂ寄りに位置する複数のタミー弾性部材８２は、それぞれ第２方向Ｄ２に沿って延びる線状を有し、第１方向Ｄ１において間隔を空けて並んでいる。
【００８３】
アウターシート５１、インナーシート５２、および、タミー弾性部材８２がタミーギャザーを構成し、タミーギャザーのうち、前身頃１１に位置するタミーギャザーが第１タミーギャザー２４Ａであり、後身頃１２に位置するタミーギャザーが第２タミーギャザー２４Ｂである。各タミーギャザーは、おむつ１０の着用時において、第２方向Ｄ２に沿って並ぶ複数のひだを有している。
【００８４】
なお、各ウエストギャザーにおいて、アウターシート５１の本体部５１ａにおける各ウエスト弾性部材８１の位置は、サイドシート６１の本体部６１ａにおける各立体弾性部材６２の位置と同様であることが好ましい。また、各ウエスト弾性部材８１が、アウターシート５１およびインナーシート５２に対して固定される状態は、各立体弾性部材６２が、サイドシート６１の本体部６１ａおよび折り返し部６１ｂに対して固定される状態と同様であることが好ましい。これにより、各立体ギャザーによっても、各ウエストギャザーと同等の効果を得ることができる。
【００８５】
以上説明したように、吸収性物品の第１実施形態によれば、以下に列挙する効果を得ることができる。
（１）各立体ギャザーの内側縁からの距離が小さい位置において、接着剤が塗布される領域を小さくすることができるため、各立体ギャザーの内側縁における柔軟性を高めることができる。
【００８６】
（２）先端弾性部材６２ａにおいて、第１方向Ｄ１に沿う各先端固定部分Ｒ１ａ１の長さが第１方向Ｄ１に沿う非固定部分Ｒ１ａ２の長さよりも長い構成と比べて、接着剤が塗布される領域を第１方向Ｄ１において小さくすることができる。そのため、各立体ギャザーの内側縁における柔軟性をより高めることができる。
【００８７】
（３）先端弾性部材６２ａにおいて、先端固定部分Ｒ１ａ１の長さの合計が非固定部分Ｒ１ａ２の長さよりも短いため、接着剤が塗布される領域を第１方向Ｄ１においてさらに小さくすることができる。それゆえに、各立体ギャザーの内側縁における柔軟性をより高めることができる。
【００８８】
（４）先端固定領域Ｒ１ａが非固定部分Ｒ１ａ２を含むことによって内側縁における柔軟性を高めつつも、先端固定部分Ｒ１ａ１よりも長い基端固定部分Ｒ１ｂ１によって立体ギャザーにおける肌に対する密着性が低下することを抑えることができる。
【００８９】
（５）基端固定領域Ｒ１ｂが非固定部分を含む構成と比べて、各立体ギャザーにおける密着性の低下を抑えることができる。
【００９０】
（６）各立体ギャザーの内側縁から先端固定部分Ｒ１ａ１が離れている構成と比べて、各立体ギャザーの内側縁に少なからず先端弾性部材６２ａを位置させることができ、これにより、着用者の肌に先端弾性部材６２ａが接しやすくなるため、各立体ギャザーの密着性を高めることができる。
【００９１】
（７）おむつ１０の製造において、本体部６１ａと折り返し部６１ｂとを含むシートを先端弾性部材６２ａに沿って折り曲げることができるため、先端弾性部材６２ａが各立体ギャザーの内側縁から離れている構成と比べて、シートの折り曲げが容易である。
【００９２】
［第１実施形態の変形例］
なお、上述した第１実施形態は、以下のように適宜変更して実施することもできる。
・複数の立体弾性部材６２は、サイドシート６１の本体部６１ａと折り返し部６１ｂとによって挟まれているが、全ての立体弾性部材６２が、サイドシート６１と、サイドシート６１とは異なる他のシートであってサイドシート６１に向かい合うシートとの間に挟まれてもよい。この場合には、サイドシート６１は折り返し部６１ｂを有さず、かつ、立体弾性部材６２が引き延ばされた状態において、サイドシート６１とともに立体弾性部材６２を挟むシートが、立体ギャザーの内側縁を含んでいればよい。こうした構成では、サイドシート６１が第１シートの一例であり、他のシートが第２シートの一例である。
【００９３】
・先端固定部分Ｒ１ａ１は、立体ギャザーの内側縁に位置していなくてもよい。言い換えれば、先端固定部分Ｒ１ａ１が、立体ギャザーの内側縁から離れていてもよい。こうした構成によれば、立体ギャザーの縁に先端固定部分Ｒ１ａ１が位置する構成と比べて、立体ギャザーの内側縁には接着剤が塗布されにくくなるため、内側縁における柔軟性がより高まりやすくなる。
【００９４】
なお、上述したように、立体ギャザーよりも内側から立体ギャザーよりも外側に液体が漏れることを抑える上では、先端固定部分Ｒ１ａ１は、立体ギャザーの内側縁に位置していることが好ましい。
【００９５】
・基端固定領域Ｒ１ｂは、非固定部分を含んでもよい。この場合には、複数の基端弾性部材６２ｂにおいて、第１方向Ｄ１に沿う非固定部分の長さが互いに等しくてもよいし、互いに異なってもよい。これにより、基端固定領域Ｒ１ｂが非固定部分を含まない構成と比べて、立体ギャザーの柔軟性を高めることはできる。
【００９６】
複数の基端弾性部材６２ｂにおいて、第１方向Ｄ１に沿う非固定部分の長さが互いに異なる構成では、例えば、第２方向Ｄ２において先端弾性部材６２ａからの距離が小さい基端弾性部材６２ｂほど、第１方向Ｄ１に沿う非固定部分の長さが長くてもよい。こうした構成によれば、立体ギャザーの内側縁に近い部分ほど、接着剤の塗布される領域を減らすことができるため、立体ギャザーの内側縁に近付くほど、立体ギャザーの柔軟性が高まりやすくなる。
【００９７】
・基端固定領域Ｒ１ｂが非固定部分を含む構成では、基端弾性部材６２ｂは、第１方向Ｄ１における基端固定領域Ｒ１ｂの端に１つずつ基端固定部分Ｒ１ｂ１を有することが好ましく、第１方向Ｄ１における２つの基端固定部分Ｒ１ｂ１の間に、１つ以上の基端固定部分Ｒ１ｂ１をさらに有してもよい。
【００９８】
・先端固定領域Ｒ１ａにおいて、２つの先端固定部分Ｒ１ａ１における第１方向Ｄ１に沿う長さの合計が、第１方向Ｄ１に沿う非固定部分Ｒ１ａ２の長さよりも長くてもよい。こうした構成であっても、先端固定領域Ｒ１ａが非固定部分Ｒ１ａ２を含んでいれば、上述した（１）と同等の効果を得ることはできる。
【００９９】
・先端固定領域Ｒ１ａの各先端固定部分Ｒ１ａ１における第１方向Ｄ１に沿う長さは、非固定部分Ｒ１ａ２における第１方向Ｄ１に沿う長さよりも長くてもよい。こうした構成であっても、先端固定領域Ｒ１ａが非固定部分Ｒ１ａ２を含んでいれば、上述した（１）と同等の効果を得ることはできる。
【０１００】
・先端固定領域Ｒ１ａは、第１方向Ｄ１において互いに離れた２つの先端固定部分Ｒ１ａ１以外に、第１方向Ｄ１において２つの先端固定部分Ｒ１ａ１に挟まれる１つ以上の他の先端固定部分Ｒ１ａ１を有してもよい。こうした構成であっても、先端固定領域Ｒ１ａが非固定部分Ｒ１ａ２を含んでいれば、上述した（１）と同等の効果を得ることはできる。
【０１０１】
・前端部１１ａと後端部１２ａとのうち、いずれか一方のみがウエストギャザーの位置するギャザー端部であってもよい。あるいは、前端部１１ａと後端部１２ａとの両方がギャザー端部である一方で、いずれかの端部に位置するウエストギャザーでは、先端弾性部材の先端固定領域の全体が、先端固定部分Ｒ１ａ１である構成であってもよい。こうした構成であっても、先端弾性部材の先端固定領域が非固定部分を含むウエストギャザーでは、上述した（１）と同等の効果を得ることはできる。
【０１０２】
・レッグギャザーにおいて、アウターシート５１およびインナーシート５２のいずれかが、第１シート要素および第２シート要素の両方を含んでもよい。この場合には、アウターシート５１およびインナーシート５２のいずれかが、第１方向Ｄ１に沿って延びる本体部と、第２方向Ｄ２の縁に沿う折り目である折り返し縁に沿って、本体部に対して折り返された折り返し部とを備えていればよく、本体部が第１シート要素の一例であり、折り返し部が第２シート要素の一例である。
【０１０３】
・レッグギャザーは、アウターシート５１、インナーシート５２、および、複数のレッグ弾性部材７１から構成されているが、アウターシート５１とインナーシート５２とに代えて、例えば、吸収性本体３２のバックシート４２とサイドシート６１とが、複数のレッグ弾性部材７１を挟む構成でもよい。この場合には、バックシート４２が第１シートの一例であり、サイドシート６１が第２シートの一例である。
【０１０４】
・おむつ１０はテープ型のおむつであってもよい。この場合には、ウエストギャザーは、例えば、バックシート４２の外側に位置するカバーシート、サイドシート６１、および、複数のウエスト弾性部材８１から構成されればよい。こうした構成では、カバーシートが第１シートの一例であり、サイドシート６１が第２シートの一例である。
【０１０５】
テープ型のおむつにおいて、レッグギャザーは、例えば、カバーシート、サイドシート６１、および、複数のレッグ弾性部材７１から構成されてもよく、こうした構成では、カバーシートが第１シートの一例であり、サイドシート６１が第２シートの一例である。また例えば、レッグギャザーは、バックシート４２、トップシート４１、および、複数のレッグ弾性部材７１から構成されてもよく、こうした構成では、バックシート４２が第１シートの一例であり、トップシート４１が第２シートの一例である。
【０１０６】
また例えば、レッグギャザーは、トップシート４１、および、複数のレッグ弾性部材７１から構成されてもよく、こうした構成では、トップシート４１が、本体部と本体部に対して折り返された折り返し部とを備え、トップシート４１が第１シート要素および第２シート要素を含む１枚のシートの一例である。また例えば、レッグギャザーは、バックシート４２、サイドシート６１、および、複数のレッグ弾性部材７１から構成されてもよく、こうした構成では、バックシート４２が第１シートであり、サイドシート６１が第２シートである。
【０１０７】
・おむつ１０は、立体ギャザー、レッグギャザー、ウエストギャザー、および、タミーギャザーの４種類のギャザーを備えているが、これらのうち、少なくとも立体ギャザーを備えていればよい。
【０１０８】
・吸収性物品はおむつ１０に限らず、例えば、尿取りパッド、吸収パッド、および、生理用ナプキンなどであってもよい。
【０１０９】
［第２実施形態］
図６から図８を参照して、吸収性物品を使い捨ておむつの一例であるパンツ型のおむつとして具体化した第２実施形態を説明する。第２実施形態のおむつは、第１実施形態のおむつと比べて、外装体および吸収性物品の構成が異なっている。そのため、以下では、こうした相違点を詳しく説明する一方で、第１実施形態のおむつと共通する構成についての詳しい説明を省略する。
【０１１０】
また、第２実施形態のおむつは、着用者によって着用される状態において、第１実施形態のおむつと同様の形状を有している。そのため、以下では、第２実施形態のおむつにおける平面構造および断面構造を詳しく説明する一方で、着用者によって着用される状態における形状の説明を省略する。また、以下では、おむつの全体構成、立体ギャザーの構成、レッグギャザーの構成、および、ウエストギャザーの構成を順番に説明する。
【０１１１】
［おむつの全体構成］
図６を参照しておむつの全体構成を説明する。
図６が示すように、おむつ９０は、腹側外装体９１、背側外装体９２、吸収性本体９３、および、一対のサイドシート９４を備えている。腹側外装体９１および背側外装体９２の各々は、第２方向Ｄ２に沿って延びる帯状を有し、腹側外装体９１と背側外装体９２とは、第１方向Ｄ１において間隔を空けて並んでいる。
【０１１２】
腹側外装体９１において、第２方向Ｄ２における２つの端部は、第１接合端部９１ａと第２接合端部９１ｂとから構成されている。背側外装体９２において、第２方向Ｄ２における２つの端部は、第１接合端部９２ａと第２接合端部９２ｂとから構成されている。第２方向Ｄ２において、腹側外装体９１の第１接合端部９１ａの位置と、背側外装体９２の第１接合端部９２ａの位置とがほぼ等しく、腹側外装体９１の第２接合端部９１ｂの位置と、背側外装体９２の第２接合端部９２ｂの位置とがほぼ等しい。
【０１１３】
吸収性本体９３は、第１方向Ｄ１に沿って延びる帯状を有している。第２方向Ｄ２において、吸収性本体９３の幅は、腹側外装体９１の幅および背側外装体９２の幅よりも小さい。吸収性本体９３の第１方向Ｄ１における２つの端部のうち、一方の端部が、腹側外装体９１のなかで第２方向Ｄ２における中央を含む部分に固定され、他方の端部が、背側外装体９２のなかで第２方向Ｄ２における中央を含む部分に固定されている。
【０１１４】
各サイドシート９４は第１方向Ｄ１に沿って延びる帯状を有し、一対のサイドシート９４は、吸収性本体９３における第２方向Ｄ２の端部にそれぞれ固定されている。
【０１１５】
おむつ９０では、腹側外装体９１の第１接合端部９１ａと背側外装体９２の第１接合端部９２ａとが互いに接合され、腹側外装体９１の第２接合端部９１ｂと背側外装体９２の第２接合端部９２ｂとが互いに接合される。これにより、パンツ型を有したおむつ９０が形成される。おむつ９０において、腹側外装体９１と、吸収性本体９３のなかで腹側外装体９１に重なる部分とが、前身頃１１を構成し、背側外装体９２と、吸収性本体９３のなかで背側外装体９２に重なる部分とが、後身頃１２を構成している。吸収性本体９３のなかで腹側外装体９１および背側外装体９２のいずれとも重ならない部分が、股下部１３を構成している。
【０１１６】
また、パンツ型を有したおむつ９０では、腹側外装体９１と背側外装体９２とがウエスト開口を区画し、腹側外装体９１の一部、背側外装体９２の一部、および、吸収性本体９３の一部が、レッグ開口を区画する開口端部を構成している。より詳しくは、吸収性本体９３のうち、第２方向Ｄ２における２つの端部、言い換えれば前身頃１１から後身頃１２に向かう方向に延びる端部は、第１端部９３ａおよび第２端部９３ｂから構成されている。第１端部９３ａのうち、腹側外装体９１および背側外装体９２に重ならない部分、すなわち股下部１３の端部が、第１開口要素９３ａ１である。第１開口要素９３ａ１には、複数のひだを含む第１レッグギャザーが位置している。第２端部９３ｂのうち、腹側外装体９１および背側外装体９２に重ならない部分、すなわち股下部１３の端部が、第２開口要素９３ｂ１である。第２開口要素９３ｂ１には、複数のひだを含む第２レッグギャザーが位置している。
【０１１７】
［立体ギャザーの構成］
図７を参照して立体ギャザーの構成を説明する。図７は、図６におけるＩＩＩ−ＩＩＩ線に沿う断面構造を示している。図７では、図示の便宜上、一対のサイドシート９４が、吸収性本体９３から離れた状態で図示されている。
【０１１８】
図７が示すように、おむつ９０は、第２方向Ｄ２において並ぶ第１立体ギャザー１０１Ａと第２立体ギャザー１０１Ｂとを備えている。各立体ギャザーは、第１方向Ｄ１に沿って延び、かつ、吸収性本体９３における着用者の肌と向かい合う面のなかで、吸収性本体９３における第２方向Ｄ２の端部にそれぞれ位置している。なお、第１立体ギャザー１０１Ａと第２立体ギャザー１０１Ｂとは、おむつ９０における位置が互いに異なる一方で、各立体ギャザーを構成する部材は共通である。そのため、以下では、第１立体ギャザー１０１Ａについて詳しく説明し、第２立体ギャザー１０１Ｂの説明を省略する。
【０１１９】
第１立体ギャザー１０１Ａは、１枚のサイドシート９４と、複数の立体弾性部材９５とから構成されている。サイドシート９４は、第１シート要素９４ａ、第２シート要素９４ｂ、および、折り返し縁９４ｃから構成されている。折り返し縁９４ｃは第１方向Ｄ１に沿って延びる直線状を有し、第２シート要素９４ｂは、折り返し縁９４ｃにおいて第１シート要素９４ａに対して折り返されている。
【０１２０】
第１シート要素９４ａは、折り返し縁９４ｃとは反対側の縁である第１縁９４ａ１を含み、第２シート要素９４ｂは、折り返し縁９４ｃとは反対側の縁である第２縁９４ｂ１を含んでいる。第１縁９４ａ１と第２縁９４ｂ１とは、第１シート要素９４ａと第２シート要素９４ｂとが重なる方向において、互いに重なっている。
【０１２１】
第１シート要素９４ａおよび第２シート要素９４ｂは互いに向かい合い、複数の立体弾性部材９５が、第１シート要素９４ａと第２シート要素９４ｂとの間に挟まれている。複数の立体弾性部材９５は、第１シート要素９４ａと第２シート要素９４ｂとの間のなかで、折り返し縁９４ｃに接する位置から、第２方向Ｄ２において間隔を空けて並んでいる。
【０１２２】
第１シート要素９４ａおよび第２シート要素９４ｂにおいて、折り返し縁９４ｃが内側縁であり、第１縁９４ａ１と第２縁９４ｂ１とが外側縁を構成している。
【０１２３】
［レッグギャザーの構成］
先に参照した図７を再び参照して、レッグギャザーの構成を説明する。
図７が示すように、吸収性本体９３は、トップシート１１１、バックシート１１２、カバーシート１１３、および、吸収体１１４を備えている。トップシート１１１、バックシート１１２、カバーシート１１３、および、吸収体１１４の各々は、第１方向Ｄ１に沿って延びる帯状を有している。吸収性本体９３の厚さ方向において、トップシート１１１とバックシート１１２との間に吸収体１１４が位置している。
【０１２４】
カバーシート１１３はバックシート１１２の外側に位置し、バックシート１１２のうち、吸収体１１４と向かい合う面とは反対側の面の全体を覆っている。カバーシート１１３は、本体部１１３ａ、２つの折り返し部１１３ｂ、および、２つの折り返し縁１１３ｃから構成されている。
【０１２５】
各折り返し縁１１３ｃは、第１方向Ｄ１に沿って延びる直線状を有し、第２方向Ｄ２において、バックシート１１２の２つの縁は、２つの折り返し縁１１３ｃによって挟まれる領域内に位置している。各折り返し部１１３ｂは、１つの折り返し縁１１３ｃにおいて本体部１１３ａに対して折り返され、かつ、第２方向Ｄ２において、各折り返し部１１３ｂは、バックシート１１２の１つの端部を覆っている。各折り返し部１１３ｂには、トップシート１１１の第２方向Ｄ２における１つの端部が接合されている。
【０１２６】
吸収性本体９３は、さらに複数のレッグ弾性部材１１５を備え、各レッグ弾性部材１１５は、第１方向Ｄ１に沿って延びる線状を有し、第２方向Ｄ２において間隔を空けて並んでいる。複数のレッグ弾性部材１１５は、第１レッグ弾性部材群１１５Ａと第２レッグ弾性部材群１１５Ｂとから構成されている。第１レッグ弾性部材群１１５Ａは、第２方向Ｄ２において、吸収体１１４よりも一方の折り返し縁１１３ｃ寄りに位置する複数のレッグ弾性部材１１５から構成され、第２レッグ弾性部材群１１５Ｂは、吸収体１１４よりも他方の折り返し縁１１３ｃ寄りに位置する複数のレッグ弾性部材１１５から構成されている。
【０１２７】
各レッグ弾性部材群において、折り返し縁１１３ｃからの距離が最も小さいレッグ弾性部材１１５は、本体部１１３ａと折り返し部１１３ｂとの間に位置している。一方で、それ以外のレッグ弾性部材１１５は、折り返し部１１３ｂとバックシート１１２との間に位置している。
【０１２８】
こうしたおむつ９０において、バックシート１１２の本体部１１３ａ、折り返し部１１３ｂ、カバーシート１１３、および、第１レッグ弾性部材群１１５Ａが、第１レッグギャザー１０２Ａを構成している。また、バックシート１１２の本体部１１３ａ、折り返し部１１３ｂ、カバーシート１１３、および、第２レッグ弾性部材群１１５Ｂが、第２レッグギャザー１０２Ｂを構成している。第１レッグギャザー１０２Ａに含まれる折り返し縁１１３ｃが、第１レッグギャザー１０２Ａの縁を構成し、第２レッグギャザー１０２Ｂに含まれる折り返し縁１１３ｃが、第２レッグギャザー１０２Ｂの縁を構成している。
【０１２９】
なお、吸収性本体９３のうち、第２方向Ｄ２における各端部では、カバーシート１１３の折り返し部１１３ｂと、トップシート１１１の一部とに、上述したサイドシート９４が接合されている。
【０１３０】
［ウエストギャザーの構成］
図８を参照してウエストギャザーの構成を説明する。図８は、図６のＩＶ−ＩＶ線に沿う断面構造を示している。図８では、図示の便宜上、吸収性本体９３を１つのブロックで表している。
【０１３１】
図８が示すように、腹側外装体９１は、第１アウターシート１２１、第１インナーシート１２２、および、複数の第１ウエスト弾性部材１２３を備えている。背側外装体９２は、第２アウターシート１３１、第２インナーシート１３２、および、複数の第２ウエスト弾性部材１３３を備えている。
【０１３２】
おむつ９０の厚さ方向において、第１アウターシート１２１と第１インナーシート１２２とが重なり、第２アウターシート１３１と第２インナーシート１３２とが重なっている。第１インナーシート１２２のうち、第１アウターシート１２１と向かい合う面とは反対側の面、および、第２インナーシート１３２のうち、第２アウターシート１３１と向かい合う面とは反対側の面には、吸収性本体９３が接合されている。
【０１３３】
第１アウターシート１２１は、本体部１２１ａ、折り返し部１２１ｂ、および、折り返し縁１２１ｃから構成されている。折り返し縁１２１ｃは、第２方向Ｄ２に沿って延びる直線状を有し、折り返し部１２１ｂは、折り返し縁１２１ｃにおいて、本体部１２１ａに対して、第１インナーシート１２２が位置する側に折り返されている。これにより、折り返し部１２１ｂは、第１インナーシート１２２における第１方向Ｄ１の１つの端部と、吸収性本体９３における第１方向Ｄ１の１つの端部とを覆っている。
【０１３４】
複数の第１ウエスト弾性部材１２３は、第１方向Ｄ１において、第１アウターシート１２１と第１インナーシート１２２との間のなかで、吸収性本体９３よりも折り返し縁１２１ｃ寄りに位置している。各第１ウエスト弾性部材１２３は、第２方向Ｄ２に沿って延びる線状を有し、第１方向Ｄ１において間隔を空けて並んでいる。
【０１３５】
こうしたおむつ９０では、第１アウターシート１２１、第１インナーシート１２２、および、複数の第１ウエスト弾性部材１２３が、第１ウエストギャザー１０３Ａを構成している。第１アウターシート１２１の折り返し縁１２１ｃが、第１ウエストギャザー１０３Ａの縁を構成している。
【０１３６】
これに対して、第２アウターシート１３１は、第１アウターシート１２１と同様、本体部１３１ａ、折り返し部１３１ｂ、および、折り返し縁１３１ｃから構成されている。折り返し縁１３１ｃは、第２方向Ｄ２に沿って延びる直線状を有し、折り返し部１３１ｂは、折り返し縁１３１ｃにおいて、本体部１３１ａに対して、第２インナーシート１３２が位置する側に折り返されている。これにより、折り返し部１３１ｂは、第２インナーシート１３２における第１方向Ｄ１の１つの端部と、吸収性本体９３における第１方向Ｄ１の１つの端部とを覆っている。
【０１３７】
複数の第２ウエスト弾性部材１３３は、第１方向Ｄ１において、第２アウターシート１３１と第２インナーシート１３２との間のなかで、吸収性本体９３よりも折り返し縁１３１ｃ寄りに位置している。各第２ウエスト弾性部材１３３は、第２方向Ｄ２に沿って延びる線状を有し、第１方向Ｄ１において間隔を空けて並んでいる。
【０１３８】
こうしたおむつ９０では、第２アウターシート１３１、第２インナーシート１３２、および、複数の第２ウエスト弾性部材１３３が、第２ウエストギャザー１０３Ｂを構成している。第２アウターシート１３１の折り返し縁１３１ｃが、第２ウエストギャザー１０３Ｂの縁を構成している。
【０１３９】
腹側外装体９１において、第１アウターシート１２１と第１インナーシート１２２との間には、複数の第１タミー弾性部材１２４が位置している。複数の第１タミー弾性部材１２４は、全ての第１ウエスト弾性部材１２３よりも、第１方向Ｄ１において、吸収性本体９３の中央寄りに位置している。
【０１４０】
複数の第１タミー弾性部材１２４は、吸収性本体９３よりも第１接合端部９１ａ寄りに位置する複数の第１タミー弾性部材１２４と、吸収性本体９３よりも第２接合端部９１ｂ寄りに位置する複数の第１タミー弾性部材１２４とから構成されている。吸収性本体９３よりも第１接合端部９１ａ寄りに位置する複数の第１タミー弾性部材１２４、および、吸収性本体９３よりも第２接合端部９１ｂ寄りに位置する複数の第１タミー弾性部材１２４は、それぞれ第２方向Ｄ２に沿って延びる線状を有し、第１方向Ｄ１において間隔を空けて並んでいる。
【０１４１】
第１アウターシート１２１、第１インナーシート１２２、および、第１タミー弾性部材１２４が、第１タミーギャザー１０４Ａを構成している。第１タミーギャザー１０４Ａは、おむつ９０の着用時において、第２方向Ｄ２に沿って並ぶ複数のひだを有している。
【０１４２】
背側外装体９２において、第２アウターシート１３１と第２インナーシート１３２との間には、複数の第２タミー弾性部材１３４が位置している。複数の第２タミー弾性部材１３４は、全ての第２ウエスト弾性部材１３３よりも、第１方向Ｄ１において、吸収性本体９３の中央寄りに位置している。
【０１４３】
複数の第２タミー弾性部材１３４は、吸収性本体９３よりも第１接合端部９２ａ寄りに位置する複数の第２タミー弾性部材１３４と、吸収性本体９３よりも第２接合端部９２ｂ寄りに位置する複数の第２タミー弾性部材１３４とから構成されている。吸収性本体９３よりも第１接合端部９２ａ寄りに位置する複数の第２タミー弾性部材１３４、および、吸収性本体９３よりも第２接合端部９１ｂ寄りに位置する複数の第２タミー弾性部材１３４は、それぞれ第２方向Ｄ２に沿って延びる線状を有し、第１方向Ｄ１において間隔を空けて並んでいる。
【０１４４】
第２アウターシート１３１、第２インナーシート１３２、および、第２タミー弾性部材１３４が、第２タミーギャザー１０４Ｂを構成している。第２タミーギャザー１０４Ｂは、おむつ９０の着用時において、第２方向Ｄ２に沿って並ぶ複数のひだを有している。
【０１４５】
［第２実施形態の変形例］
なお、上述した第２実施形態は、以下のように適宜変更して実施することができる。
・第１レッグギャザー１０２Ａにおいて、第１レッグ弾性部材群１１５Ａを構成する全てのレッグ弾性部材１１５が、カバーシート１１３の折り返し部１１３ｂと、バックシート１１２との間に位置してもよい。また、第２レッグギャザー１０２Ｂにおいて、第２レッグ弾性部材群１１５Ｂを構成する全てのレッグ弾性部材１１５が、カバーシート１１３の折り返し部１１３ｂと、バックシート１１２との間に位置してもよい。
【０１４６】
・第１インナーシート１２２のうち、第１アウターシート１２１の折り返し部１２１ｂで覆われた端部が、第１方向Ｄ１において、全ての第１ウエスト弾性部材１２３よりも吸収性本体９３寄りに位置してもよい。すなわち、第１ウエストギャザー１０３Ａにおいて、全ての第１ウエスト弾性部材１２３が、第１アウターシート１２１の本体部１２１ａと折り返し部１２１ｂとの間に位置してもよい。また、第２インナーシート１３２のうち、第２アウターシート１３１の折り返し部１３１ｂで覆われた端部が、第１方向Ｄ１において、全ての第２ウエスト弾性部材１３３よりも吸収性本体９３寄りに位置してもよい。すなわち、第２ウエストギャザー１０３Ｂにおいて、全ての第２ウエスト弾性部材１３３が、第２アウターシート１３１の本体部１３１ａと折り返し部１３１ｂとの間に位置してもよい。
【０１４７】
・腹側外装体９１および背側外装体９２の各々は、１枚の外装シートのみを備える構成であってもよい。この場合には、各外装シートが、第１シート要素、第２シート要素、および、ウエストギャザーの縁を構成する折り返し縁から構成されていればよい。そして、折り返し縁が第２方向Ｄ２に沿って延びる直線状を有し、第２シート要素が、折り返し縁において、第１シート要素に対して吸収性本体９３の位置する側に折り返されていればよい。また、複数のウエスト弾性部材は、第１シート要素と第２シート要素との間に位置していればよい。なお、吸収性本体９３は、第２シート要素のうち、第１シート要素と向かい合う面とは反対側の面に接合されていればよい。
【０１４８】
・おむつ９０は、立体ギャザー、レッグギャザー、ウエストギャザー、および、タミーギャザーの４種類のギャザーを備えているが、これらのうち、少なくとも立体ギャザーを備えていればよい。
【符号の説明】
【０１４９】
１０，９０…おむつ、１０ａ…ウエスト開口、１０ａ１…ウエスト端部、１０ｂ１…第１レッグ開口、１０ｂ２…第２レッグ開口、１１…前身頃、１１ａ…前端部、１１ａ１，１２ａ１，１３ａ１，１３ｂ１…縁、１２…後身頃、１２ａ…後端部、１３…股下部、１３ａ…第１レッグ端部、１３ｂ…第２レッグ端部、２１Ａ，１０３Ａ…第１ウエストギャザー、２１Ｂ，１０３Ｂ…第２ウエストギャザー、２２Ａ，１０２Ａ…第１レッグギャザー、２２Ｂ，１０２Ｂ…第２レッグギャザー、２３Ａ，１０１Ａ…第１立体ギャザー、２３Ｂ，１０１Ｂ…第２立体ギャザー、２４Ａ，１０４Ａ…第１タミーギャザー、２４Ｂ，１０４Ｂ…第２タミーギャザー、３１…外装体、３１ａ…第１端部、３１ｂ…第２端部、３１Ｐ１…第１部分、３１Ｐ２…第２部分、３１Ｐ３…第３部分、３２，９３…吸収性本体、４１，１１１…トップシート、４２，１１２…バックシート、４３，１１４…吸収体、５１…アウターシート、５１ａ，６１ａ，１１３ａ，１２１ａ，１３１ａ…本体部、５１ｂ，６１ｂ，１１３ｂ，１２１ｂ，１３１ｂ…折り返し部、５１ｃ，６１ｃ，９４ｃ，１１３ｃ，１２１ｃ，１３１ｃ…折り返し縁、５２…インナーシート、６１，９４…サイドシート、６１ａ１…外側縁、６２，９５…立体弾性部材、６２ａ…先端弾性部材、６２ｂ…基端弾性部材、７１，１１５…レッグ弾性部材、８１…ウエスト弾性部材、８２…タミー弾性部材、９１…腹側外装体、９１ａ，９２ａ，Ｐ１ａ，Ｐ３ａ…第１接合端部、９１ｂ，９２ｂ，Ｐ１ｂ，Ｐ３ｂ…第２接合端部、９２…背側外装体、９３ａ…第１端部、９３ａ１…第１開口要素、９３ｂ…第２端部、９３ｂ１…第２開口要素、９４ａ…第１シート要素、９４ａ１…第１縁、９４ｂ…第２シート要素、９４ｂ１…第２縁、１１３…カバーシート、１１５Ａ…第１レッグ弾性部材群、１１５Ｂ…第２レッグ弾性部材群、１２１…第１アウターシート、１２２…第１インナーシート、１２３…第１ウエスト弾性部材、１２４…第１タミー弾性部材、１３１…第２アウターシート、１３２…第２インナーシート、１３３…第２ウエスト弾性部材、１３４…第２タミー弾性部材、Ｒ１…固定領域、Ｒ１ａ…先端固定領域、Ｒ１ａ１…先端固定部分、Ｒ１ａ２…非固定部分、Ｒ１ｂ…基端固定領域、Ｒ１ｂ１…基端固定部分、Ｒ２…自由領域。
【図１】
2018093985.tif 000003
【図２】
2018093985.tif 000004
【図３】
2018093985.tif 000005
【図４】
2018093985.tif 000006
【図５】
2018093985.tif 000007
【図６】
2018093985.tif 000008
【図７】
2018093985.tif 000009
【図８】
2018093985.tif 000010